(57)【要約】【課題】振動や衝撃等で化粧皿や化粧料が損傷したり、破損したりすることがなく、しかも、容器本体に化粧皿を取り付ける際にも、容器本体や化粧皿が損傷したり、変形したりすることがなく、しかも、接着剤を必要としない化粧料容器を提供する。【解決手段】上面に凹部１ａが形成された容器本体１と、この容器本体１の上面を蓋する蓋体と、上記容器本体１の凹部１ａに収容される中枠装置３とを備えている。そして、上記中枠装置３が、化粧皿４と、この化粧皿４が着脱自在に収容される中枠６とで構成され、上記中枠６の外周側壁部１１の少なくとも２つの角部１４が、なだらかに湾曲する湾曲部もしくは傾斜部に形成され、上記湾曲部もしくは傾斜部の一部が、突条１９を有する帯状弾性板部１８に形成され、上記突条１９に対応する上記化粧皿４の周側壁の角部に、上記突条１９に着脱自在に係合する凹溝４ａが形成されている。【選択図】図２
2005279091.tif 000002
【特許請求の範囲】
【請求項１】
上面に凹部が形成された容器本体と、この容器本体の上面を蓋する蓋体と、上記容器本体の凹部に着脱自在に収容される化粧皿とを備え、上記凹部の周側壁の少なくとも２つの角部が、なだらかに湾曲する湾曲部もしくは傾斜部に形成され、上記湾曲部もしくは傾斜部の一部が、係合部を有する弾性部に形成され、上記係合部に対応する上記化粧皿の周側壁の角部に、上記係合部に着脱自在に係合する被係合部が形成されていることを特徴とする化粧料容器。
【請求項２】
上面に凹部が形成された容器本体と、この容器本体の上面を蓋する蓋体と、上記容器本体の凹部に収容される中枠装置とを備え、上記中枠装置が、化粧皿と、この化粧皿が着脱自在に収容される中枠とで構成され、上記中枠の周側壁の少なくとも２つの角部が、なだらかに湾曲する湾曲部もしくは傾斜部に形成され、上記湾曲部もしくは傾斜部の一部が、係合部を有する弾性部に形成され、上記係合部に対応する上記化粧皿の周側壁の角部に、上記係合部に着脱自在に係合する被係合部が形成されていることを特徴とする化粧料容器。
【請求項３】
請求項２に記載の化粧料容器に用いられることを特徴とする中枠装置。
【請求項４】
上記中枠装置の中枠の周側壁の少なくとも２つの角部の一部に形成された、横方向に湾曲状に延びる上下一対の横スリットと、これら両横スリットの端部同士を連結する縦スリットとで挟まれた部分が弾性部に形成されている請求項３記載の中枠装置。
【発明の詳細な説明】
【技術分野】
【０００１】
本発明は、化粧料容器およびこれに用いられる中枠装置に関するものである。
【背景技術】
【０００２】
従来から、ファンデーション等の化粧料を収容して携帯する化粧料容器として、図１７に示すようなコンパクト容器が出回っている。このコンパクト容器は、上面の中央に凹所３１ａが形成された容器本体３１と、この容器本体３１の上面を蓋する蓋体３２とからなり、上記容器本体３１の凹所３１ａに、固形の化粧料（図示せず）が充填された金皿３３が嵌着されている（例えば、特許文献１参照）。図において、３４はスライドピースであり、開蓋時に金皿３３の嵌着を解除する作用をする。また、このようなコンパクト容器では、容器本体３１の凹所３１ａに金皿３３をホットメルト等の接着剤で接着，固定することがよく行われている。
【０００３】
ところが、上記のコンパクト容器では、容器本体３１の凹所３１ａに金皿３３を嵌着しているだけであるため、運搬時等に振動や衝撃等がコンパクト容器に作用すると、上記振動や衝撃等により金皿３３や化粧料が損傷したり、破損したりするという問題がある。しかも、金皿３３に化粧料を打型するときに、金皿３３のサイズが大きくなる（より詳しく説明すると、上記打型により、金皿３３の一部が膨らみ、また、この膨らみ方にばらつきがある）。このため、容器本体３１の凹所３１ａに金皿３３を収容する際に、上記膨らんだ部分が上記凹所３１ａの内周面に当接等して容器本体３１, 金皿３３が損傷したり、変形したりするという問題がある。しかも、容器本体３１の凹所３１ａに金皿３３を接着剤で接着，固定するコンパクト容器では、上記接着剤が必要になるという問題もある。
【０００４】
そこで、上記容器本体３１の凹所３１ａの前後両側壁もしくは左右両側壁に前後一対もしくは左右一対の弾性片を設け、これら両弾性片で金皿３３を着脱自在に固定することが考えられる。このものでは、上記両弾性片が緩衝作用を有するため、運搬時等に振動や衝撃等が上記両弾性片に作用しても、その緩衝作用で金皿３３や固形の化粧料を保護することができる。しかも、金皿３３に化粧料を打型するときに、金皿３３の一部が外側に膨らんでも、上記両弾性片が容易に弾性変形し、収容の際に容器本体３１, 金皿３３が損傷したり、変形したりすることがない。しかも、ホットメルト等の接着剤を必要としない。
【特許文献１】実開平１−７９４０６号公報
【発明の開示】
【発明が解決しようとする課題】
【０００５】
しかしながら、このものでは、上記両弾性片が、前後方向もしくは左右方向の振動や衝撃等に対して緩衝作用を有するものの、上記方向に対し直行する方向に振動や衝撃等が作用した（すなわち、上記凹所３１ａの前後両側壁に両弾性片を設けた場合に、左右方向に振動や衝撃等が作用し、上記凹所３１ａの左右両側壁に両弾性片を設けた場合に、前後方向に振動や衝撃等が作用した）ときには、上記振動や衝撃等で金皿３３や化粧料が損傷したり、破損したりしやすいという問題が依然として残っている。特に、金皿３３の各角部は強度的に弱く、また、金皿３３内の固形の化粧料も、金皿３３の各角部付近では密度が少くて（すなわち、充分に押し固められなくて）強度的に弱いため、運搬時等に上記直行する方向に振動や衝撃等が作用して、金皿３３の角部が凹所３１ａの角部に当たると、その振動や衝撃等が金皿３３の角部に直接に作用し、金皿３３の角部や固形の化粧料の角部で損傷や破損が発生しやすい。
【０００６】
本発明は、このような事情に鑑みなされたもので、振動や衝撃等で化粧皿や化粧料が損傷したり、破損したりすることがなく、しかも、容器本体に化粧皿を取り付ける際にも、容器本体や化粧皿が損傷したり、変形したりすることがなく、しかも、接着剤を必要としない化粧料容器およびこれに用いられる中枠装置の提供をその目的とする。
【課題を解決するための手段】
【０００７】
上記の目的を達成するため、本発明は、上面に凹部が形成された容器本体と、この容器本体の上面を蓋する蓋体と、上記容器本体の凹部に着脱自在に収容される化粧皿とを備え、上記凹部の周側壁の少なくとも２つの角部が、なだらかに湾曲する湾曲部もしくは傾斜部に形成され、上記湾曲部もしくは傾斜部の一部が、係合部を有する弾性部に形成され、上記係合部に対応する上記化粧皿の周側壁の角部に、上記係合部に着脱自在に係合する被係合部が形成されている化粧料容器を第１の要旨とし、上面に凹部が形成された容器本体と、この容器本体の上面を蓋する蓋体と、上記容器本体の凹部に収容される中枠装置とを備え、上記中枠装置が、化粧皿と、この化粧皿が着脱自在に収容される中枠とで構成され、上記中枠の周側壁の少なくとも２つの角部が、なだらかに湾曲する湾曲部もしくは傾斜部に形成され、上記湾曲部もしくは傾斜部の一部が、係合部を有する弾性部に形成され、上記係合部に対応する上記化粧皿の周側壁の角部に、上記係合部に着脱自在に係合する被係合部が形成されている化粧料容器を第２の要旨とし、第２の要旨の化粧料容器に用いる中枠装置を第３の要旨とする。
【発明の効果】
【０００８】
すなわち、本発明の第１の化粧料容器は、その容器本体の凹部の周側壁の少なくとも２つの角部が、なだらかに湾曲する湾曲部もしくは傾斜部に形成されており、上記湾曲部もしくは傾斜部の一部が、係合部を有する弾性部に形成されている。そして、上記係合部に対応する上記化粧皿の周側壁の角部に、上記係合部に着脱自在に係合する被係合部が形成されている。このように、容器本体の凹部の周側壁の少なくとも２つの角部に弾性部を設けると、これら弾性部が前後方向および左右方向の振動や衝撃等に対して緩衝作用を有するため、容器本体に前後方向および左右方向に振動や衝撃等が作用しても、この振動や衝撃等を上記弾性部の緩衝作用により緩衝して、化粧皿や化粧料が損傷したり、破損したりしなくなる。特に、容器本体の凹部の周側壁の少なくとも２つの角部に弾性部を設けているため、上記振動や衝撃等が化粧皿の角部に直接に作用せず、化粧皿の角部や化粧料の角部で損傷や破損が発生しなくなる。しかも、化粧料として固形状のものを使用し、これにより、化粧皿に化粧料を打型するときに、化粧皿の一部が外側に膨らんでも、上記膨らんだ部分に対応する上記弾性部の部分が容易に弾性変形し、収容の際に容器本体や化粧皿が損傷したり、変形したりすることがない。しかも、ホットメルト等の接着剤を必要としない。
【０００９】
また、本発明の第２の化粧料容器は、容器本体の凹部に収容される中枠装置の中枠の周側壁の少なくとも２つの角部が、なだらかに湾曲する湾曲部もしくは傾斜部に形成されており、上記湾曲部もしくは傾斜部の一部が、係合部を有する弾性部に形成されている。そして、上記係合部に対応する上記化粧皿の周側壁の角部に、上記係合部に着脱自在に係合する被係合部が形成されている。したがって、本発明の第２の化粧料容器でも、本発明の第１の化粧料容器と同様に、上記優れた効果を奏する。なお、本発明において、「周側壁の少なくとも２つの角部」とは、周側壁の、相対向する２つの角部（この場合には、これら２つの角部の弾性凸部もしくは弾性部で、化粧皿を挟持することができる）だけではなく、周側壁の一側壁の両側の２つの角部（この場合には、これら２つの角部の弾性凸部もしくは弾性部で、化粧皿を周側壁の他側壁に押圧状に保持することができる）をも含む意味である。また、周側壁が４つの角部を有する場合には、「周側壁の少なくとも２つの角部」として、いずれの２つの角部を選択してもよい。また、本発明において、「容器本体の上面の凹部」は、底面開放形（容器本体の底面から化粧皿の底面が露呈しているもの）を含むものとする。
【００１０】
また、本発明の中皿装置は、本発明の第２の化粧料容器に用いられるもの（すなわち、化粧皿と、この化粧皿が着脱自在に収容される中枠とを備え、上記中枠の周側壁の少なくとも２つの角部が、なだらかに湾曲する湾曲部もしくは傾斜部に形成され、上記湾曲部もしくは傾斜部の一部が、係合部を有する弾性部に形成され、上記係合部に対応する上記化粧皿の周側壁の角部に、上記係合部に着脱自在に係合する被係合部が形成されているもの）であり、本発明の第２の化粧料容器に用いることで、上記優れた効果を奏する。
【００１１】
また、上記中枠装置の中枠の周側壁の少なくとも２つの角部の一部に形成された、横方向に湾曲状に延びる上下一対の横スリットと、これら両横スリットの端部同士を連結する縦スリットとで挟まれた部分が弾性部に形成されていると、上下一対の横スリットと縦スリットとを形成するだけで、簡単に弾性部を形成することができる。なお、本発明では、上記中枠の周側壁の一側壁の上端部および下端部の少なくとも一方を筋状に切り欠き形成することにより得られる筋状切り欠き形成部をも、横スリットに含むものとする。
【発明を実施するための最良の形態】
【００１２】
つぎに、本発明の実施の形態を図面にもとづいて詳しく説明する。
【００１３】
図１は本発明の化粧料容器の一実施の形態を示している。図において、１は上面に凹部１ａが形成された合成樹脂製の容器本体（図２および図３参照）で、２は上記容器本体１を蓋する合成樹脂製の蓋体で、３は上記容器本体１の凹部１ａに着脱自在に収容，固定される中枠装置である。この中枠装置は、図４〜図６に示すように、ファンデーション等の固形状化粧料５（打型された化粧料）が充填された金属製もしくは合成樹脂製の化粧皿４と、この化粧皿４が収容される合成樹脂製の中枠６とからなっており、上記化粧皿４の周側壁に湾曲状に（この実施の形態では、略１／４円弧状に）形成された４つの角部の外周面に、後述する中枠６の突条（係合部）１９，２０ａに着脱自在に係合する凹溝（被係合部）４ａが形成されている（図２および図５参照）。図１において、７は上記蓋体２の下面に接着，固定された鏡である。
【００１４】
上記中枠６は、金型成形により、中央に仕切り壁部１３を有する四角形環状枠体に一体成形されたものであり、図７〜図１１に示すように、四角形環状枠体に形成された外周側壁部１１と、この外周側壁部１１の上端部外周面から突出形成された鍔部１２と、上記外周側壁部１１の左右方向中央部から前後方向に延びる仕切り壁部１３とからなっており、上記外周側壁部１１の４つの角部がそれぞれ湾曲状に（この実施の形態では、略１／４円弧状に）形成されている。また、上記中枠６の内部は、仕切り壁部１３により、化粧皿４が収容される化粧皿収容部６ａと、パフ（図示せず）が収容されるパフ収容部６ｂとに仕切られている。
【００１５】
上記各角部のうち、左側の２つの角部１４（すなわち、上記化粧皿収容部６ａを構成する左側の２つの角部１４であって、左側前角部１４と左側後角部１４）には、これら両角部１４の右端部（すなわち、前後両側壁部１１ａ，１１ｂの左端部）から左端部（すなわち、左側壁部１１ｃの前後両端部）に向かってコ字状に延びる帯状弾性板部１８が形成されている（図８〜図１０，図１２および図１３参照）。すなわち、上記両角部１４には、その略中央高さ位置に、上記両角部１４の右端部から左端部まで水平方向に延びる上側横スリット１５が形成されている。また、上記両角部１４の下端部が、上記両角部１４の右端部から左端部まで帯状に切り欠き形成されており、これにより、上記下端部に帯状横切り欠き部１６が形成されている。そして、上記容器本体１の凹部１ａの底面と帯状横切り欠き部１６との間に形成される帯状の隙間部分で下側横スリットが形成されている。また、上記上側スリット１５および帯状横切り欠き部１６の左端部同士が縦スリット１７で連結されており、これにより、上記上側横スリット１５と帯状横切り欠き部１６と縦スリット１７とで挟まれた上記外周側壁部１１の角部の部分が、帯状弾性板部１８に形成されている（図８〜図１０，および図１２参照）。
【００１６】
上記帯状弾性板部１８は、上記両角部１４の、上側横スリット１５より上側部分に沿って湾曲状に（この実施の形態では、略１／４円弧状に）形成されており、薄肉の基端部１８ａと、中枠６の化粧皿収容部６ａに化粧皿４を収容した状態でこの化粧皿４の角部に当接する厚肉の先端部１８ｂとからなっている。また、上記先端部１８ｂの内面に、上記化粧皿４の角部の外周面の凹溝４ａに着脱自在に係合する突条１９が形成されている（図８および図１２参照）。このような帯状弾性板部１８は、不使用時には、その先端部１８ｂの内面が、上記両角部１４の、上側横スリット１５より上側部分の内面より少し内側に突出している。また、上記化粧皿収容部６ａを構成する右側の２つの角部であって、右側前角部２０と右側後角部２０（すなわち、仕切り壁部１３の前後両端の角部）の内面には、上記化粧皿４の角部の外周面の凹溝４ａに着脱自在に係合する突条２０ａが形成されている。なお、この実施の形態では、上記スリット１５および帯状横切り欠き部１６は、上記両角部１４の右端部から左端部に達する長さに形成されているが、上記両角部１４内に形成されていれば、どのような長さ，形状でもよい。
【００１７】
上記容器本体１には、図３に示すように、その前端部の左右方向中央部分に前側切欠き凹部２１が切欠き形成されており、この前側切欠き凹部２１に、上記蓋体２の係合爪（図示せず）に着脱自在に係合する係合凸部２１ａが形成されている。また、上記容器本体１には、その後端部の左右方向中央部分に後側切欠き凹部２２が切欠き形成されており、この後側切欠き凹部２２に、上記蓋体２の後端部（図示せず）がヒンジ連結されている。
【００１８】
上記の構成において、固形状化粧料５が充填された化粧皿４を、上記容器本体１に設けた中枠装置３の中枠６に収容する（すなわち、中皿装置３を組み付ける）場合には、化粧皿４を中枠６の化粧皿収容部６ａに押し込むことを行う（図１４および図１５参照）。これにより、化粧皿４の周側壁の４つの角部のうち、左側の２つの角部が、中枠６の外周側壁部１１の４つの角部のうち、左側の２つの角部１４（すなわち、上記化粧皿収容部６ａを構成する左側の２つの角部），両帯状弾性板１８の先端部１８ｂに摺接しながら下降して、化粧皿４の左側の両角部の凹溝４ａと両帯状弾性板１８の先端部１８ｂの突条１９とが着脱自在に係合し、一方、化粧皿４の周側壁の４つの角部のうち、右側の２つの角部が、上記化粧皿収容部６ａを構成する右側の２つの角部に摺接しながら下降して、化粧皿４の右側の両角部の凹溝４ａと化粧皿収容部６ａの右側の両角部の突条２０ａとが着脱自在に係合し、これにより、化粧皿４が中枠６の化粧皿収容部６ａに収容，固定される。そして、上記係合の際に、両帯状弾性板部１８が後方に回動しながら撓み、上記係合がスムーズに行われる。しかも、このとき、化粧皿４の上記両角部１４が中枠６の帯状弾性板１８の基端部１８ａにほとんど当接しない。また、化粧皿４に固形状化粧料５を充填する（すなわち、化粧皿４に化粧料５を打型する）際に、化粧皿４の一部が膨らんでいても、上記中枠６の帯状弾性板部１８が弾性変形するため、上記膨らんだ部分に対応する上記帯状弾性板１８の部分が容易に弾性変形し、化粧皿４を中枠６に収容することができる。
【００１９】
上記のように、この実施の形態では、上記両帯状弾性板部１８がクッションの役目を果たし、化粧皿４を保護することができる。しかも、中枠装置３の中枠６に両帯状弾性板部１８が形成されているため、化粧料５の打型時に化粧皿４の一部が膨らんでいても、帯状弾性板部１８が容易に弾性変形し、化粧皿４を中枠６内に収容することができる。しかも、上記帯状弾性板部１８が弾性変形する際には、帯状弾性板部１８の全体が後方にスムーズに撓み、小さな力で収容することができるうえ、収容時に、上記帯状弾性板部１８や化粧皿４が損傷したり、変形したりすることがない。しかも、接着剤を必要としない。
【００２０】
図１６は本発明の化粧料容器の他の実施の形態を示している。この実施の形態では、容器本体１に中枠装置３を設けていない。このため、容器本体１の周側壁部８を内外二重壁８ａ，８ｂで構成し、その内側壁８ａの左側壁８ｃの前後両角部１４（これら両角部１４は、それぞれ湾曲状に形成されている）に、上下一対のスリット１５ａ，１５ｂを設け、両スリット１５ａ，１５ｂで挟まれた部分を帯状弾性板部１８としている。それ以外の部分は上記実施の形態と同様であり、同様の部分には同じ符号を付している。この実施の形態でも、上記実施の形態と同様の作用・効果を奏する。
【００２１】
なお、上記両実施の形態では、係合部として、突条１９，２０ａを設けているが、凸部, 凹部等の各種の係合部を設けることができる。また、被係合部として、凹溝４ａ，４ｃを設けているが、凸部, 凹部等の各種の被係合部を設けることができる。また、中枠６の帯状弾性板部１８は、どのような構造，形状でもよい。例えば、中枠６の角部にコ字状の切り欠き部を、そのコ字状の開口部を上向きもしくは下向き，横向き等にした状態で形成し、この切り欠き部で囲まれる部分を弾性板部（この弾性板部は、帯状に形成されていなくてもよい）としてもよいし、また、上記角部の一部分を内側に向かって下向き傾斜状にもしくは略Ｌ字状等に突出させ、この突出させた部分を弾性板部としてもよいし、上記角部の一部分に凹部を設け、この凹部の底面から弾性板部を立設し、もしくは上面から弾性板部を垂下させる等してもよい。
【００２２】
また、上記両実施の形態において、上記帯状弾性板部１８を角部１４から内側に突出形成してもよいし、角部１４を傾斜状に形成してもよい。
【図面の簡単な説明】
【００２３】
【図１】本発明の化粧料容器の一実施の形態を示す断面図である。
【図２】上記化粧料容器の要部の断面図である。
【図３】容器本体の平面図である。
【図４】中枠装置の平面図である。
【図５】上記中枠装置の裏面図である。
【図６】上記中枠装置の断面図である。
【図７】中枠の平面図である。
【図８】上記中枠の裏面図である。
【図９】上記中枠の側面図である。
【図１０】上記中枠の正面図である。
【図１１】上記中枠の断面図である。
【図１２】上記中枠の要部の断面図である。
【図１３】上記中枠の要部の斜視図である。
【図１４】上記中枠装置の組み付け要領を示す斜視図である。
【図１５】上記中枠装置の組み付け要領を示す斜視図である。
【図１６】本発明の化粧料容器の他の実施の形態を示す断面図である。
【図１７】従来例を示す断面図である。
【符号の説明】
【００２４】
１  容器本体
１ａ  凹部
３  中枠装置
４  化粧皿
４ａ  凹溝
６  中枠
１１  外周側壁部
１４  角部
１８  帯状弾性板部
１９  突条
【図１】
2005279091.tif 000003
【図２】
2005279091.tif 000004
【図３】
2005279091.tif 000005
【図４】
2005279091.tif 000006
【図５】
2005279091.tif 000007
【図６】
2005279091.tif 000008
【図７】
2005279091.tif 000009
【図８】
2005279091.tif 000010
【図９】
2005279091.tif 000011
【図１０】
2005279091.tif 000012
【図１１】
2005279091.tif 000013
【図１２】
2005279091.tif 000014
【図１３】
2005279091.tif 000015
【図１４】
2005279091.tif 000016
【図１５】
2005279091.tif 000017
【図１６】
2005279091.tif 000018
【図１７】
2005279091.tif 000019